【事件の表示】
　平成　８年特許願第３５８７００号「絵付シートとこれを用いた絵付成形品の製造方法」拒絶査定不服審判事件〔平成１０年　７月　７日出願公開、特開平１０−１８０８０１〕について、次のとおり審決する。
【結　論】
　本件審判の請求は、成り立たない。
【理　由】
第１．手続の経緯
　本願は、平成８年１２月２６日の出願であって、平成１５年１１月１４日に手続補正書が提出され、平成１７年６月１日付けで拒絶理由が通知され、同年８月５日に意見書及び手続補正書が提出され、平成１８年３月３０日付けで拒絶理由が通知され、同年６月５日に意見書が提出されたが、平成１９年４月２４日付けで拒絶査定がなされ、これに対して、同年５月２５日に拒絶査定不服審判が請求されるとともに手続補正書が提出され、同年１１月２９日付けで前置報告がなされ、その後、当審において平成２０年１０月２０日付けで審尋がなされ、同年１２月１６日に回答書が提出されたものである。
　
第２．補正の却下の決定　
［結論］
　平成１９年５月２５日提出の手続補正書による補正を却下する。
　
［理由］
　１．補正の内容
　平成１９年５月２５日提出の手続補正書による補正（以下、「本件補正」という。）は、平成１７年８月５日提出の手続補正書により補正された明細書の特許請求の範囲の請求項１について、
　
「【請求項１】
基体シートの片面に形成された剥離層上に隙間部を有する色柄層が形成され、色柄層が形成されていない隙間部にホログラム層がホットスタンプ法により形成され、ホログラム層の形成された隙間部はホログラム層によって全部覆われていることを特徴とする絵付シート。」を
「【請求項１】 
　基体シートの片面に形成された剥離層上に隙間部を有する色柄層が形成され、色柄層が形成されずに色柄層に囲まれた隙間部にホログラム層が、ホットスタンプ箔のホログラム層からホットスタンプ法により形成され、ホログラム層の形成された隙間部はホログラム層によって全部覆われていることを特徴とする絵付シート。」とする補正を含むものである。
　
　２．新規事項の有無及び補正の目的についての検討 
　上記請求項１についての補正は、「色柄層が形成されていない隙間部」を「色柄層が形成されずに色柄層に囲まれた隙間部」として、隙間部について、「色柄層に囲まれた」との事項を付加する補正事項を含むものである。
　ここで、上記「色柄層に囲まれた」との事項の付加は、願書に最初に添付した明細書及び図面（以下、「当初明細書等」という。）の段落【０００３】及び図９の記載に基づいて、請求項に記載した発明を特定するために必要な事項である「隙間部」を、「色柄層に囲まれた」ものに限定するものである。 
　したがって、上記補正事項を含む本件補正は、当初明細書等に記載した事項の範囲内においてするものであって、かつ、平成１８年法律第５５号改正附則第３条第１項によりなお従前の例によるとされる同法による改正前の特許法（以下、単に「特許法」という。）第１７条の２第４項第２号に掲げる特許請求の範囲の減縮を目的とするものと認められる。
　
　３．独立特許要件についての検討
　本件補正は、上記２．のとおり、特許請求の範囲の減縮を目的とするものであるから、本件補正により補正された明細書（以下、「補正明細書」という。）の特許請求の範囲の請求項１に係る発明（以下、「補正発明」という。）が、特許法第１７条の２第５項において準用する同法第１２６条第５項の規定に違反するか否かについて以下検討する。
　
　　３−１．補正発明について
　補正発明は、補正明細書の特許請求の範囲の請求項１に記載された事項により特定される以下のとおりのものである。  
　
「【請求項１】 
　基体シートの片面に形成された剥離層上に隙間部を有する色柄層が形成され、色柄層が形成されずに色柄層に囲まれた隙間部にホログラム層が、ホットスタンプ箔のホログラム層からホットスタンプ法により形成され、ホログラム層の形成された隙間部はホログラム層によって全部覆われていることを特徴とする絵付シート。」
　
　　３−２．引用刊行物 
　刊行物１：特開平７−１２９０６８号公報（平成１７年６月１日付け拒絶
　　　　　　理由通知における引用文献１）
　刊行物２：特開平８−３１０１７０号公報（平成１７年６月１日付け及び
　　　　　　平成１８年３月３０日付け拒絶理由通知における引用文献２）
　
　　３−３．引用刊行物の記載事項  
　上記刊行物１及び２には、それぞれ以下の事項が記載されている。
　
＜刊行物１＞
（１ａ）「【請求項１】  基材フィルム上に、剥離層、透明な前アンカー層、ホログラム画像を有する金属蒸着パターン層、接着層が順次形成された部分ホログラム転写材において、金属蒸着パターン層と接着層との間に、エッチングレジストインキからなるとともに金属蒸着パターン層と同じ形状および大きさのスクリーン印刷層が形成されていることを特徴とする立体感を有する部分ホログラム転写材。
【請求項２】  剥離層と前アンカー層との間または／および金属蒸着パターン層と接着層との間に着色層を有する請求項１記載の立体感を有する部分ホログラム転写材。」（特許請求の範囲の請求項１及び２）
　
（１ｂ）「【従来の技術】従来のホログラム転写材は、（１）基材フィルム上に剥離層、金属蒸着層、接着層が順次それぞれ全面に形成された刻印押し用転写材がある。
　また、（２）基材フィルム上に剥離層を形成し、その上に透明な前アンカー層を形成し、金属蒸着層が不要な部分のパターンとなるように水溶性樹脂層を形成し、その上全面に金属蒸着層を形成し、水洗することによって水溶性樹脂を覆っている部分の金属蒸着層を水溶性樹脂の溶解とともに除去して金属蒸着パターン層を形成し（以下、金属蒸着パターン層を形成することを、単に「パターン化」と呼ぶ。）、金属蒸着パターン層上にホログラム画像を形成し、金属蒸着パターン層以外の部分に着色層を形成し、接着層を形成した転写材がある。」（段落【０００２】〜【０００３】）
　
（１ｃ）「前アンカー層３は、金属蒸着層５０の密着性の向上や、ヤケ防止のための樹脂層であり、たとえば、二液硬化性ウレタン樹脂、メラミン系やエポキシ系などの熱硬化性樹脂、塩化ビニル共重合体樹脂などの熱可塑性樹脂を用いることができる。」（段落【００１５】）
　
（１ｄ）「金属蒸着パターン層５は、ホログラム情報の凹凸からなるホログラム画像４を有しており、前アンカー層３上に部分的に設けられている。金属蒸着パターン層５は、アルミニウム、ニッケル、クロム、銅、真鍮などを蒸着やイオンプレーティング、スッパタリングにて形成したものがある。」（段落【００１６】）
　
（１ｅ）「この発明の立体感を有する部分ホログラム転写材では、着色層８が、前アンカー層３と接着層６との間に形成されていてもよい。着色層８は、着色顔料や染料など通常の着色に用いられる材料を用いるとよい（図６参照）。」（段落【００１９】）
　
（１ｆ）「剥離層２上に必要により着色層８を形成する。着色層８は、着色顔料や染料など通常の着色に用いられる材料を用いて、グラビア印刷法やスクリーン印刷法などで形成するとよい。」（段落【００２３】）
　
（１ｇ）
「
　　　　　　　　　　　　　　　　　　　　　」（図６）
　
＜刊行物２＞
（２ａ）「【請求項３】  受像シート上に、昇華性染料インキによる転写画像、または、昇華性染料インキ及び熱溶融性インキによる転写画像を設け、該転写画像の上に保護層を設けた後に、該保護層の上にホログラムの熱転写シートからサーマルヘッド、ホットスタンパー、熱ロールの中のいずれかの手段によりホログラム層を転写し、積層することを特徴とするホログラム付き印画物の作成方法。」（特許請求の範囲の請求項３）
　
（２ｂ）「図５は、ホログラム層の転写に使用するホログラム熱転写シート21の一実施例の構成を示す模式断面図であり、基材フィルム７の一方の面に必要に応じて耐熱滑性層13を設け、その反対側の面に剥離保護層11b 、ホログラム形成層16、反射性薄膜層17、接着剤層18を順に設けた構成である。これらの層間には、接着性が不足する場合プライマー層（図示せず）を設けてもよい。」（段落【００３３】）
　
（２ｃ）「上記のように構成されるホログラム熱転写シート21を用いて、本発明のホログラム付き印画物を作成する方法は、前述したように、受像シート上に、昇華性染料インキによる転写画像、または、昇華性染料インキ及び熱溶融性インキによる転写画像を設け、該転写画像の上に保護層を設けた後に、該保護層の上に上記ホログラム熱転写シート21の接着剤層18面が保護層面に接するように重ね合わせて置き、ホログラム熱転写シート21の背面側からサーマルヘッド、ホットスタンパー（熱板）、熱ロールの中のいずれかの手段により加熱・加圧などで転写することにより作成できる。このホログラム層は、印画物の全面に転写されてもよいし、印画物の一部分に転写されてもよい。この際、部分的にホログラム層を設けるには、サーマルヘッドもしくはホットスタンプの手段を用いることが望ましく、全面に設ける場合は熱ロール方式が望ましい。例えば、熱板による場合、ホログラム熱転写シート21の接着剤層18面が被転写体表面、即ち、受像シートの転写画像の上に形成した保護層面に接するように重ね合わせて置き、ホログラム熱転写シート21の背面側から熱板で加熱、加圧して接着させた後、基材フィルム7を剥がすことにより透明型ホログラムが転写された印画物を得ることができる。」（段落【００４７】）
　
（２ｄ）
「
　　　　　　　　　　　　　　　　　　　　　　　　　　　　　」（図５）
　
　　３−４．対比 
　　　３−４−１．刊行物１に記載された発明の認定 
　刊行物１の摘示（１ａ）の記載からみて、刊行物１には、「基材フィルム上に、剥離層、透明な前アンカー層、ホログラム画像を有する金属蒸着パターン層、接着層が順次形成され、剥離層と前アンカー層との間に着色層を有する部分ホログラム転写材」の発明（以下、「刊行物発明」という。）が記載されているといえる。
　
　　　３−４−２．補正発明と刊行物発明１との対比 
　補正発明と刊行物発明とを対比すると、刊行物発明における「基材フィルム」、「着色層」及び「部分ホログラム転写材」は、補正発明における「基体シート」、「色柄層」及び「絵付シート」にそれぞれ相当するものと認められる。
　また、補正発明における「ホログラム層」は、補正明細書の段落【００４５】に記載のように、「ホログラムを現出する」ためのものであり、同段落【００２５】に記載され、図１に示されるように、剥離層と接着層との間に形成されるものであるところ、刊行物発明においては、刊行物１の摘示（１ｄ）に記載のように、「金属蒸着パターン層」が「ホログラム情報の凹凸からなるホログラム画像４を有し」、これによってホログラム画像が形成されるものであり、剥離層と接着層との間に「前アンカー層」と「金属蒸着パターン層」が形成されるものである。
　さらに、刊行物１の摘示（１ｃ）における「前アンカー層３は、金属蒸着層５０の密着性の向上や、ヤケ防止のための樹脂層」との記載からみて、「前アンカー層」と「金属蒸着パターン層」とは、一体に設けられるものといえる。
　よって、刊行物発明における「透明な前アンカー層」及び「ホログラム画像を有する金属蒸着パターン層」からなるものが、補正発明における「ホログラム層」に相当するものと認められる。
　してみると、補正発明と刊行物発明とは、「基体シートの片面に形成された剥離層上に色柄層とホログラム層が形成された絵付シート。」である点で一致しているが、以下の点において相違している。
　
＜相違点１＞
　基体シートの平面方向の色柄層とホログラム層の配置関係について、補正発明は、色柄層が「隙間部を有」し、「色柄層が形成されずに色柄層に囲まれた隙間部」にホログラム層が形成され、「ホログラム層の形成された隙間部はホログラム層によって全部覆われている」と規定するのに対し、刊行物発明は、かかる規定がなされていない点
　
＜相違点２＞  
　ホログラム層について、補正発明は、「ホットスタンプ箔のホログラム層からホットスタンプ法により形成され」と規定するのに対し、刊行物発明は、かかる規定がなされていない点
　
　　３−５．判断 
　上記各相違点について、以下に検討する。
　
　　　３−５−１．相違点１についての検討 
　刊行物１の摘示（１ｇ）の図６に示されている「部分ホログラム転写材」は、「着色層」が形成されていない部分、すなわち隙間部を有し、当該隙間部に「ホログラム画像を有する金属蒸着パターン層」が形成されているものと認められる。
　ここで、上記図６に示されているものは、刊行物１の摘示（１ｅ）に記載のように、前アンカー層上に着色層が形成されたものであるが、同摘示（１ａ）の請求項２及び（１ｆ）に記載のように、刊行物１には、剥離層上に着色層が形成された態様も、同様に記載されているものと認められる。
　また、絵付シートにおける色柄層とホログラム層の配置関係は、所望する図柄によって決められるものであって、刊行物１の摘示（１ｂ）には、「金属蒸着パターン層以外の部分に着色層を形成」することが記載されていることからみて、ホログラム層の周りが色柄層と隣り合うように囲まれた図柄が必要とされる場合に、ホログラム層の配置位置を「色柄層が形成されずに色柄層に囲まれた隙間部」として、当該隙間部が「ホログラム層によって全部覆われている」ものとすることは、当業者が適宜なし得る設計事項である。
　そして、色柄層とホログラム層の配置関係について、色柄層が隙間部を有し、色柄層が形成されずに色柄層に囲まれた隙間部にホログラム層を形成し、ホログラム層の形成された隙間部をホログラム層によって全部覆うことにより、格別顕著な効果を奏するものとは認められない。
　
　　　３−５−２．相違点２についての検討 
　刊行物２の摘示（２ａ）〜（２ｄ）には、ホログラム熱転写シート（補正発明における「ホットスタンプ箔」に相当）に設けられたホログラム層から、ホットスタンプ法によりホログラム層を形成することが記載されている。　してみると、刊行物発明におけるホログラム層を、刊行物２に記載のように、ホットスタンプ箔に設けられたホログラム層からホットスタンプ法によって形成することは、当業者が容易になし得ることである。
　そして、ホットスタンプ箔のホログラム層からホットスタンプ法によりホログラム層を形成することにより、格別顕著な効果を奏するものとは認められない。
　
　　３−６．小括 
　以上のとおりであるから、補正発明は、刊行物１及び２に記載された発明に基いて、当業者が容易に発明をすることができたものであるから、特許法第２９条第２項の規定により特許を受けることができない。  
　よって、補正発明は、特許出願の際独立して特許を受けることができないものである。  
　 
　４．まとめ 
　したがって、本件補正は、特許法第１７条の２第５項において準用する同法第１２６条第５項の規定に違反するので、同法第１５９条第１項において読み替えて準用する同法第５３条第１項の規定により却下すべきものである。
　
第３．本願発明
　上記第２．において述べたとおり、本件補正は却下されたので、本願の請求項１〜９に係る発明は、平成１７年８月５日提出の手続補正書により補正された明細書の特許請求の範囲の請求項１〜９に記載された事項により特定されるものと認められ、そのうち本願の請求項１に係る発明（以下、「本願発明」という。）は、以下のとおりのものである。
　
「【請求項１】
基体シートの片面に形成された剥離層上に隙間部を有する色柄層が形成され、色柄層が形成されていない隙間部にホログラム層がホットスタンプ法により形成され、ホログラム層の形成された隙間部はホログラム層によって全部覆われていることを特徴とする絵付シート。」
　
第４．原査定の拒絶の理由の概要
　原査定の拒絶の理由の概要は、平成１８年３月３０日付けの拒絶理由通知及び平成１９年４月２４日付けの拒絶査定からみて、本願発明は、以下の引用文献１〜７に記載された発明に基いて、当業者が容易に発明をすることができたものであるから、特許法第２９条第２項の規定により特許を受けることができないというものである。
　
　引用文献１：特開平７−１９９７８３号公報
　引用文献２：特開平８−３１０１７０号公報
　引用文献３〜７：（略）
　
第５．引用文献の記載事項
　上記引用文献１及び２には、以下の事項が記載されている。
　
＜引用文献１＞
（１ア）「図６はこの種のホログラム転写箔の他の構成を示す断面図である。このホログラム転写箔は、基材１上に剥離層２が形成され、この剥離層２の一部を覆うように印刷層４が形成されている。また、これら剥離層２及び印刷層４を覆うようにホログラム形成層３、反射性薄膜層５及び接着層６が順次積層されている。」（段落【０００４】）
　
（１イ）
「
　　　　　　　　　　　　　　　　　」（図６）
　
＜引用文献２＞
　上記第２．の３．の３−３．において、＜刊行物２＞の記載事項として記載した事項と同じ。
　
第６．対比・判断
　１．引用文献１に記載された発明の認定
　摘示（１ア）の記載及び摘示（１イ）の図６からみて、引用文献１には、「基材上に剥離層が形成され、この剥離層の一部を覆うように印刷層が形成されて、これら剥離層及び印刷層を覆うようにホログラム形成層、反射性薄膜層及び接着層が順次積層されているホログラム転写箔」の発明（以下、「引用発明」という。）が記載されているといえる。
　
　２．本願発明と引用発明との対比
　本願発明と引用発明とを対比すると、引用発明における「基材」、「印刷層」、「ホログラム形成層」及び「ホログラム転写箔」は、本願発明における「基体シート」、「色柄層」、「ホログラム層」及び「絵付シート」にそれぞれ相当するものと認められる。
　してみると、本願発明と引用発明とは、「基体シートの片面に形成された剥離層上に色柄層とホログラム層が形成された絵付シート。」である点で一致しているが、以下の点において相違している。 
　
＜相違点Ａ＞  
　色柄層とホログラム層の配置関係について、本願発明は、色柄層が「隙間部を有」し、「色柄層が形成さていない隙間部」にホログラム層が形成され、「ホログラム層の形成された隙間部はホログラム層によって全部覆われている」と規定するのに対し、引用発明は、かかる規定がなされていない点
　
＜相違点Ｂ＞  
　ホログラム層について、本願発明は、「ホットスタンプ法により形成され」と規定するのに対し、引用発明は、かかる規定がなされていない点
　
　３．判断
　上記各相違点について、以下に検討する。
　
　　３−１．相違点Ａについて
　引用発明は、「剥離層の一部を覆うように印刷層が形成され」たものであることから、剥離層上には、「印刷層」が形成されていない部分があり、当該部分が本願発明における「隙間部」に相当するものであるといえる。
　そして、引用発明において、「ホログラム形成層」は、「剥離層及び印刷層を覆うように」積層されたものであることから、引用文献１の摘示（１イ）の図６からみて、引用発明は、上記「隙間部」に「ホログラム形成層」が形成されたものであって、当該「隙間部」は、「ホログラム層によって全部覆われている」ものと認められる。
　よって、相違点Ａは、実質的な相違点ではない。
　
　　３−２．相違点Ｂについて
　引用文献２の摘示（２ａ）〜（２ｄ）には、ホットスタンプ法によりホログラム層を形成することが記載されており、引用発明におけるホログラム層を、引用文献２に記載のホットスタンプ法によって形成することは、当業者が容易になし得ることである。
　そして、ホットスタンプ法によりホログラム層を形成することにより、格別顕著な効果を奏するものとは認められない。
　
　４．まとめ
　したがって、本願発明は、引用文献１及び２に記載された発明に基いて、当業者が容易に発明をすることができたものである。
　
第７．むすび
　以上のとおり、本願の請求項１に係る発明は、特許法第２９条第２項の規定により特許を受けることができないものであり、他の請求項に係る発明について検討するまでもなく、本願は拒絶すべきものである。
　よって、結論のとおり審決する。